(57)【要約】【課題】素材管理システムにおいて、カート装置内に設けられている記録再生装置が対応していないデータであっても、カート装置内のストレージに記憶する。【解決手段】記録再生装置１ｂは、素材の一部を再生する。収納棚１ａは、第１の記憶領域と第２の記憶領域とを有する可搬型記憶媒体を複数収納する。カート装置１は、記録再生装置１ｂと収納棚１ａを備えている。カート制御装置２は、カート装置１を制御し、可搬型記憶媒体への素材の記憶の際に、素材を記録再生装置１ｂが再生可能か否かを判断し、再生できる素材を第１の記憶領域に記憶させ、再生できない素材を第２の記憶領域に記憶させる。【選択図】図１
2007102992.tif 000002
【特許請求の範囲】
【請求項１】
映像または音声を含む複数種類の素材を管理する素材管理システムにおいて、
前記素材の一部を再生できる記録再生装置と、第１の記憶領域と第２の記憶領域とを有する可搬型記憶媒体を複数収納する収納棚とを備えたカート装置と、
前記カート装置を制御し、前記可搬型記憶媒体への前記素材の記憶の際に、前記素材を前記記録再生装置が再生可能か否かを判断し、再生できる素材を前記第１の記憶領域に記憶させ、再生できない素材を前記第２の記憶領域に記憶させるカート制御装置と、
を有することを特徴とする素材管理システム。
【請求項２】
前記カート制御装置は、前記素材のヘッダを読むことによって前記記録再生装置が当該素材を再生可能か否か判断することを特徴とする請求項１記載の素材管理システム。
【請求項３】
映像または音声を含む複数種類の素材を管理する素材管理方法において、
第１の記憶領域と第２の記憶領域とを有する可搬型記憶媒体への前記素材の記憶の際に、前記素材を記録再生装置が再生可能か否かを判断し、再生できる素材を前記第１の記憶領域に記憶させ、再生できない素材を前記第２の記憶領域に記憶させることを特徴とする素材管理方法。
【発明の詳細な説明】
【技術分野】
【０００１】
本発明は、素材管理システムに関し、特に映像または音声を含む複数種類の素材を管理する素材管理システムに関する。
【背景技術】
【０００２】
大量のＡＶ（Audio Visual）素材を扱う放送局では、番組製作などに用いるために保存した大量の素材を管理する必要がある。そのため、ストレージに対して素材ファイルを記録再生する記録再生装置と、ストレージを格納する棚と、ストレージを棚から記録再生装置に搬送する搬送器を備えたカート装置を用いることにより素材を管理するデータ管理システムが知られている（たとえば、特許文献１参照）。
【０００３】
ところで、近年のＡＶ素材は、ＭＰＥＧ（Moving Picture Experts Group）化が進み、中でもＭＰＥＧ２による圧縮符号化は、デジタル放送やＤＶＤ（Digital Versatile Disc）−Ｖｉｄｅｏなどに使用され、放送番組の製作現場においても利用されてきている。さらに、近年では、ＴＣＰ／ＩＰ（Transmission Control Protocol/Internet Protocol）ネットワーク上での異なる機種やメーカの放送機器同士でのファイル交換のためのフォーマットとして、ＭＸＦ（Material eXchange Format）が、ＳＭＰＴＥ（Society of Motion Picture & Television Engineers）で標準化された。
【０００４】
ＭＸＦは、ＭＰＥＧフォーマットやＤＶ（Digital Video）フォーマットのデータ、さらにはメタデータ（圧縮符号化方式、映像の内容、撮影場所などの情報）などを一体化して送受信可能なフォーマットであり、ストリーミング機能にも対応している。ＭＸＦを利用することにより、たとえば放送局内のＬＡＮ（Local Area Network）を利用してＧＵＩ（Graphical User Interface）環境にてドラッグ＆ドロップなどの画面上での簡単な操作で、ＬＡＮ上の機器間による素材ファイルの転送や、再生、記録が可能になってきている。なお、ネットワーク上でのファイルの転送は、ＣＩＦＳ（Common Internet File System）やＦＴＰ（File Transfer Protocol）など、通常非同期転送で使用されるプロトコルによって制御される。
【特許文献１】特許第２９５２９０８号公報
【発明の開示】
【発明が解決しようとする課題】
【０００５】
しかし、記録再生装置が再生することができないフォーマットのＡＶ素材をストレージに記憶させることができなかった。
本発明はこのような点に鑑みてなされたものであり、カート装置内に設けられている記録再生装置が対応していないデータであっても、カート装置内のストレージに記憶することができる素材管理システムを提供することを目的とする。
【課題を解決するための手段】
【０００６】
本発明では上記問題を解決するために、映像または音声を含む複数種類の素材を管理する素材管理システムにおいて、前記素材の一部を再生できる記録再生装置と、第１の記憶領域と第２の記憶領域とを有する可搬型記憶媒体を複数収納する収納棚とを備えたカート装置と、前記カート装置を制御し、前記可搬型記憶媒体への前記素材の記憶の際に、前記素材を前記記録再生装置が再生可能か否かを判断し、再生できる素材を前記第１の記憶領域に記憶させ、再生できない素材を前記第２の記憶領域に記憶させるカート制御装置とを有することを特徴とする素材管理システムが提供される。
【０００７】
このような素材管理システムによれば、記録再生装置は、素材の一部を再生する。収納棚は、第１の記憶領域と第２の記憶領域とを有する可搬型記憶媒体を複数収納する。カート装置は、記録再生装置と収納棚を備えている。カート制御装置は、カート装置を制御し、可搬型記憶媒体への素材の記憶の際に、素材を記録再生装置が再生可能か否かを判断し、再生できる素材を第１の記憶領域に記憶させ、再生できない素材を第２の記憶領域に記憶させる。
【発明の効果】
【０００８】
本発明の素材管理システムによれば、カート制御装置によって素材が記録再生装置で再生可能か否かを判断し、再生可能であれば可搬型記憶媒体の第１の記憶領域に記憶させ、再生不可能であれば第２の記憶領域に記憶させるので、記録再生装置が対応していない素材を可搬型記憶媒体に記憶でき、１つのカート装置で多種類の素材を扱うことが可能となる。したがって、素材管理システムの運用のコストを抑えることができるとともに、素材管理システムを運用する上で必要となるスペースを少なくすることが可能となる。
【発明を実施するための最良の形態】
【０００９】
以下、本発明の実施の形態を図面を参照して詳細に説明する。
図１は、本実施の形態の素材管理システムの構成を示す図である。
本実施の形態の素材管理システムは、たとえば、放送局の番組製作現場において適用されるシステムであり、カート装置１、カート制御装置２、ＡＶサーバ３、制御用コンピュータ４を有している。
【００１０】
カート装置１は、複数の可搬型記憶媒体を収納する収納棚１ａと、複数の記録再生装置１ｂを備えている。また、図示を省略しているが、収納棚１ａから可搬型記憶媒体を取り出し、記録再生装置１ｂへ運ぶ搬送器や、収納棚１ａに挿入された可搬型記憶媒体の識別情報を読み取る装置、例えばバーコードリーダを備えている。
【００１１】
カート制御装置２は、カート装置１の動作を制御する。また、カート装置１内に収納されている可搬型記憶媒体に対して素材の書き込み要求があると、素材のフォーマットなどの情報を識別し、その情報に基づいてカート装置１に対して制御信号を出力し、素材のフォーマットに対応する可搬型記憶媒体を記録再生装置１ｂにセットさせる。
【００１２】
ＡＶサーバ３は、ファイルサーバとして機能し、たとえば放送番組の制作用のＡＶ素材を格納している。制御用コンピュータ４は、素材の転送などを制御するコンピュータであり、ユーザからの指示を受けて、所望の素材の検索をしたり、素材の再生または記録要求を行う。ＬＡＮ５は、カート装置１、カート制御装置２、ＡＶサーバ３、および制御用コンピュータ４を結びつけ、素材や制御信号などを伝送する。
【００１３】
図２は、可搬型記憶媒体の一例の構成を示す図である。可搬型記憶媒体は、たとえば、青紫色レーザ光による高密度記憶を採用した光ディスク６であり、２３．３ＧＢの容量を有する。また、この光ディスク６は、記録再生装置１ｂが再生することができるＡＶ素材を記憶する記憶領域６ａ（以下、ＡＶエリアと呼ぶ）および、記録再生装置１ｂが再生することができないＡＶ素材と、ＡＶ素材以外の素材を記憶する記憶領域６ｂ（以下、ジェネラルエリアと呼ぶ）を有している。ＡＶ素材以外の素材とは、たとえば、ＡＶエリアに記憶されているＡＶ素材に関連する情報が記憶されているテキストフォーマットの素材などである。
【００１４】
また、光ディスク６には、自身のＩＤ（IDentification）を示すバーコードラベルが添付されている。
ＡＶ素材のフォーマットとしては、様々なフォーマットがある。記録再生装置１ｂは、様々なフォーマットの中で、ＭＰＥＧ  ＩＭＸ（５０／４０／３０Ｍｂｐｓ）（ＭＰＥＧ  ＩＭＸはソニー株式会社の登録商標である。）、ＤＶＣＡＭ（ＤＶＣＡＭはソニー株式会社の商標である。）の各フォーマットに対応しているものとする。
【００１５】
ＭＰＥＧ  ＩＭＸフォーマットは、量子化８ビットデジタルコンポーネント記録であり、サンプリングレートは４：２：２、圧縮方式にＭＰＥＧ−２  ４：２：２＠ＭＬに準拠したイントラフレーム方式を採用している。
【００１６】
図３は、カート装置とカート制御装置の一例の構成を示す図である。
収納棚１ａには、たとえば、６００巻程度の光ディスク６が収納される。また、光ディスク６には、フォーマットごとに素材が格納されている。つまり、ＭＰＥＧ  ＩＭＸフォーマットの５０ＭｂｐｓでエンコードされているＡＶ素材は光ディスク７に記憶され、ＭＰＥＧ  ＩＭＸフォーマットの４０ＭｂｐｓでエンコードされているＡＶ素材は光ディスク８に記憶され、ＭＰＥＧ  ＩＭＸフォーマットの３０ＭｂｐｓでエンコードされているＡＶ素材は光ディスク９に記憶され、ＤＶＣＡＭフォーマットでエンコードされているＡＶ素材は光ディスク１０に記憶され、記録再生装置１ｂが再生できないフォーマットの素材は光ディスク１１に記憶される。また、まだ何も記憶されていない光ディスク１２も用意されている。
【００１７】
記録再生装置１ｂは、カート装置１内に複数搭載されている。各記録再生装置１ｂは、ＬＡＮ５に接続可能なインタフェースの他に、ＩＥＥＥ（the Institute of Electrical and Electronics Engineers）１３９４規格のインタフェースなども備えている。カート装置１は、カート制御装置２の制御に基づいて、図示しないロボティクス機能により、収納棚１ａから取り出された光ディスク６への素材の記憶や、光ディスク６に記憶された素材の再生または読み出しを行う。
【００１８】
また、カート装置１の図示しないロボティクス機能や、カート装置１内の記録再生装置１ｂを、カート制御装置２の、たとえばＲＳ−４２２Ａ端子からの制御信号に基づいて作動する。なお、カート制御装置２は、ＬＡＮ５に接続可能なインタフェースを備え、ＡＶサーバ３や制御用コンピュータ４などとの間で、ＬＡＮ５を介して素材を送受信する。ＬＡＮ５を介して受信した素材は、たとえば、ＩＥＥＥ１３９４規格のインタフェースにより、記録再生装置１ｂに供給される。
【００１９】
なお、ＡＶサーバ３は、ファイルサーバとして機能し、たとえば放送番組の制作用のＡＶ素材を格納している。ＡＶサーバ３に格納されている素材は、たとえばＭＸＦファイル化されており、ＣＩＦＳまたはＦＴＰによりＬＡＮ５を介してカート制御装置２とＡＶサーバ３との間で送受信される。
【００２０】
以下、本実施の形態の素材管理システムの動作を説明する。
図４は、カート制御装置内のディレクトリの例である。
まず、カート装置１の収納棚１ａに光ディスク６が収納されると、光ディスク６に添付されたバーコードラベルから光ディスク６のＩＤが読み取られ、カート制御装置２内の“ＤＩＳＣＳ”ディレクトリの下層に、読み取った光ディスク６のディレクトリ（例えば、図４の“０００００００１”ディレクトリ）が作成される。収納された光ディスク６へは、以下のようにして素材が記憶される。
【００２１】
図５は、素材ファイルを記録再生装置に記憶する際の素材管理システムの動作を示す通信シーケンス図である。
たとえば、ＡＶサーバ３に格納されている素材を、記録再生装置１ｂを用いて光ディスク６に記憶する際には、ＣＩＦＳまたはＦＴＰによる非同期系の制御で転送が行われる。すなわち、制御用コンピュータ４は、自身の表示装置に図４のようなカート制御装置２内のディレクトリを表示する。ユーザは、そのディレクトリ内にＡＶサーバ３の素材ファイルをマウスなどでドラッグ＆ドロップする。これにより、カート制御装置２の図示しない記憶装置にＬＡＮ５を介してＡＶ素材や、そのＡＶ素材の管理情報などが素材ファイルとしてダウンロードされる（Ｔ１）。
【００２２】
ＡＶサーバ３から送られてきた素材ファイルは、まず“ＲＯＯＴ”の下層の“ＥＮＴＲＹ”ディレクトリに記憶される。図４では、記録再生装置１ｂが再生できるＡＶ素材のファイル“Ａ０００００００００１．ＭＸＦ”と、その管理情報のファイル“Ａ０００００００００１．ｉｎｆｏ”、記録再生装置１ｂが再生できないＡＶ素材のファイル“Ｘ０００００００００２．ｎａｔｉｖｅ”を示している。カート制御装置２は、ダウンロードした素材のヘッダを読むことによって、当該素材が記録再生装置１ｂが対応するフォーマットであるか否かを判断する（Ｔ２）。
【００２３】
カート装置１は、カート制御装置２からの制御信号に基づいて、収納棚１ａから記憶可能な光ディスク６を取り出し、記憶可能な記録再生装置１ｂを選択する。そして、“ＥＮＴＲＹ”ディレクトリに置かれた素材ファイルは記録再生装置１ｂに転送され、判別されたフォーマットに応じて光ディスク６に自動的に記録される（Ｔ３）。例えば、図４に示すように、ＡＶ素材のファイル“Ａ０００００００００１．ＭＸＦ”をディスクＩＤ“０００００００１”の光ディスク６に記録する場合、記録再生装置１ｂが再生可能なファイル“Ａ０００００００００１．ＭＸＦ”は、光ディスク６のＡＶエリア６ａに記憶され、再生できない管理情報などのファイル“Ａ０００００００００１．ｉｎｆｏ”はジェネラルエリア６ｂに記憶される。このとき、図４のように“０００００００１”ディレクトリの下層の“Ｃｌｉｐ”ディレクトリに、当該素材ファイルが置かれる。
【００２４】
また、記録再生装置１ｂが再生できないＡＶ素材のファイル“Ｘ０００００００００１．ｎａｔｉｖｅ”をディスクＩＤ“０００００００２”の光ディスク６に記録する場合、カート制御装置２からの制御信号に基づいて、ファイル“Ｘ０００００００００１．ｎａｔｉｖｅ”を、ジェネラルエリア６ｂに記憶する。このとき、図４のように“０００００００２”ディレクトリの下層の“Ｃｌｉｐ”ディレクトリに、当該素材ファイルが置かれる。
【００２５】
素材ファイルの記録が終了すると、カート制御装置２は、素材ファイルを記録した光ディスク６のＩＤを示すファイル“Ａ０００００００００１．ＳＴＳ”、“Ｘ０００００００００２．ＳＴＳ”を“ＥＮＴＲＹ”ディレクトリに置くとともに、制御用コンピュータ４に通知する（Ｔ４）。
【００２６】
なお、前述したように、ＡＶ素材のフォーマットごとに光ディスク６が選択されＡＶ素材が記録される。たとえば、ＡＶサーバ３から送られてきた素材がＭＰＥＧ  ＩＭＸフォーマットの５０ＭｂｐｓでエンコードされているＡＶ素材と、そのＡＶ素材に関連する素材（前述の管理情報など）であって記録再生装置１ｂが対応していない素材である場合、光ディスク７を選択する。そして、収納棚１ａから取り出した光ディスク７を、選択した記録再生装置１ｂに挿入する。そして、素材ファイルは、たとえば、ＩＥＥＥ１３９４規格のインタフェースなどで記録再生装置１ｂに送信される。そして、カート制御装置２からの制御信号に基づいて記録再生装置１ｂが再生できるＡＶ素材は、光ディスク７のＡＶエリア６ａに記憶される。また、記録再生装置１ｂが再生できないＡＶ素材は、光ディスク７のジェネラルエリア６ｂに記憶される。
【００２７】
以下同様に、ＡＶサーバ３から送られてきた素材がＭＰＥＧ  ＩＭＸフォーマットの４０ＭｂｐｓでエンコードされているＡＶ素材と、そのＡＶ素材に関連する素材であって記録再生装置１ｂが対応していない素材である場合、光ディスク８が選択され、ＡＶサーバ３から送られてきた素材がＭＰＥＧ  ＩＭＸフォーマットの３０ＭｂｐｓでエンコードされているＡＶ素材と、そのＡＶ素材に関連する素材であって記録再生装置１ｂが対応していない素材である場合、光ディスク９が選択され、ＡＶサーバ３から送られてきた素材がＤＶＣＡＭフォーマットでエンコードされているＡＶ素材と、そのＡＶ素材に関連する素材であって記録再生装置１ｂが対応していない素材である場合、光ディスク１０が選択され、記録再生装置１ｂが対応しているＡＶ素材は各ディスクのＡＶエリア６ａへ、記録再生装置１ｂが対応していないＡＶ素材は各ディスクのジェネラルエリア６ｂへそれぞれ記憶される。
【００２８】
また、ＡＶサーバ３から送られてきた素材が記録再生装置１ｂが対応していない素材だけである場合、光ディスク１１を選択する。そして、収納棚１ａから取り出した光ディスク１１を、選択した記録再生装置１ｂに挿入する。そして、素材ファイルは、たとえば、ＩＥＥＥ１３９４規格のインタフェースなどで記録再生装置１ｂに送信される。そして、カート制御装置２からの制御信号に基づいて、光ディスク１１のジェネラルエリア６ｂに記憶される。
【００２９】
なお、光ディスク１１には、ＡＶエリア６ａは存在せず、ジェネラルエリア６ｂのみで構成されていてもよい。その場合には、より多くの素材を記憶することが可能となる。
また、光ディスク７、８、９、１０、および１１が選択されたときに、記憶要求がある素材に比べてディスクの空き容量が少ない場合には、光ディスク１２からディスクが補充される。
【００３０】
このような素材管理システムによれば、カート制御装置２によって素材が記録再生装置１ｂで再生可能か否かを判断し、再生可能であれば光ディスク６のＡＶエリア６ａに記憶させ、再生不可能であればジェネラルエリア６ｂに記憶させるので、記録再生装置１ｂが対応していないために、読み書きはできるが再生はできない素材を光ディスク６に記憶でき、１つのカート装置１で他種類の素材を扱うことが可能となる。したがって、素材管理システムの運用のコストを抑えることができるとともに、素材管理システムを運用する上で必要となるスペースを少なくすることが可能となる。
【００３１】
なお、データベースがカート制御装置２内に設けられているとして説明したが、ＬＡＮ５上に接続されていて、制御用コンピュータ４により参照可能であればどこに設けられていてもよい。また、ジェネラルエリア６ｂに記録再生装置１ｂが再生できないＡＶ素材が格納される旨を説明したが、ジェネラルエリア６ｂに格納される素材は記録再生装置１ｂが再生できないＡＶ素材に限らず、ＡＶ素材以外の素材であっても、記録再生装置１ｂが再生できない素材ならなんでもよい。
【図面の簡単な説明】
【００３２】
【図１】本実施の形態の素材管理システムの構成を示す図である。
【図２】可搬型記憶媒体の一例の構成を示す図である。
【図３】カート装置とカート制御装置の一例の構成を示す図である。
【図４】カート制御装置内のディレクトリの例である。
【図５】素材ファイルを記録再生装置に記憶する際の素材管理システムの動作を示す通信シーケンス図である。
【符号の説明】
【００３３】
１……カート装置、１ａ……収納棚、１ｂ……記録再生装置、２……カート制御装置、３……ＡＶサーバ、４……制御用コンピュータ、５……ＬＡＮ
【図１】
2007102992.tif 000003
【図２】
2007102992.tif 000004
【図３】
2007102992.tif 000005
【図４】
2007102992.tif 000006
【図５】
2007102992.tif 000007